(57)【要約】【課題】カプセルに充填物を充填する作業を極めて衛生的、かつ、容易に行なうことができる安価なカプセル保持具を提供する。【解決手段】ピンセット１と、該ピンセットの各挟持端３に対し着脱自在の挟持片５とよりなり、各挟持片は弾性を有する柔軟な材料により形成された樋状の挟持部１１を備えていることを特徴とするカプセル保持具。前記各挟持片における挟持部は、上端がピンセットの基部１３から離れる方向に、傾斜している。前記各挟持片における挟持部は、下端にカプセル１５の端部１５’に当接する当接部１７を備えている。【選択図】図１
0003113810.tif 000002
【実用新案登録請求の範囲】
【請求項１】
ピンセットと、該ピンセットの各挟持端に対し着脱自在の挟持片とよりなり、
各挟持片は弾性を有する柔軟な材料により形成された樋状の挟持部を備えていることを特徴とするカプセル保持具。
【請求項２】
前記各挟持片における挟持部は、上端がピンセットの基部から離れる方向に、傾斜していることを特徴とする請求項１に記載のカプセル保持具。
【請求項３】
前記各挟持片における挟持部は、下端にカプセルの端部に当接する当接部を備えていることを特徴とする請求項１又は２に記載のカプセル保持具。
【考案の詳細な説明】
【技術分野】
【０００１】
本考案は、カプセル保持具に関するものであり、更に詳しくは、液状、粉末状、顆粒状等の食品、薬剤その他の充填物をカプセルに充填する際に該カプセルを一時的に保持するためのカプセル保持具に係るものである。
【背景技術】
【０００２】
カプセルは、一般に、ゼラチンにより形成された略円筒状本体とキャップとよりなるものである。カプセルには、液状、粉末状、顆粒状等の食品、薬剤その他の充填物が封入される。カプセルは、これらの充填物を封入したまま、飲用される。
【０００３】
近年、食品、薬剤等を自らカプセルに充填して飲用する人が増えている。カプセルにこれらの充填物を充填する際には、一般に、カプセルの略円筒状本体を手の指で保持した状態で該略円筒状本体内に充填物を充填した後、キャップを手の指で該略円筒状本体に嵌着するという手法が用いられている。
【０００４】
しかるに、手でカプセルに充填物を充填する上述の手法においては、次のような問題がある。
【０００５】
（イ）手の指でカプセルを保持することは衛生上好ましくない。即ち、指によりカプセルが汚れるだけでなく、指で傾斜状態に保持したカプセルを液状、粉末状、顆粒状等の食品、薬剤等の充填物内に没入させることにより該カプセル内に該充填物を入れる際に、該充填物に指が触れることになる。
【０００６】
（ロ）カプセルは小さなものであるため、カプセルの略円筒状本体を手の指で保持した状態で該略円筒状本体内に充填物を充填した後、キャップを手の指で該略円筒状本体に嵌着するという作業は容易ではない。
【０００７】
手でカプセルに充填物を充填する上述の手法における上述の問題を解決するために、実用新案登録第３０８４２６０号公報は、充填物をカプセルに充填する際に該カプセルを一時的に保持するためのカプセル保持具（以下「従来のカプセル保持具」という。）を提供している。
【０００８】
従来のカプセル保持具は、ピンセットにおける一対の挟持端をそれぞれ相対向する樋状に形成し、該樋状の挟持端間にカプセルを保持するようにしたものである。
【特許文献１】実用新案登録第３０８４２６０号公報
【考案の開示】
【考案が解決しようとする課題】
【０００９】
しかしながら、上記従来のカプセル保持具においては、次のような問題がある。
【００１０】
（ａ）上記従来のカプセル保持具は、樋状の挟持端を含むピンセット全体を金属により一体的に形成してなるものであるため、挟持端に柔軟性がなく、各カプセル保持具が挟持し得るカプセルの寸法が限られている。
【００１１】
（ｂ）上記従来のカプセル保持具は、樋状の挟持端を含むピンセット全体を金属により一体的に形成してなるものであるため、製造コストが嵩むという問題もある。
【００１２】
本考案は、従来のカプセル保持具における上述の如き問題を解決しようとしてなされたものである。
【課題を解決するための手段】
【００１３】
上記課題を解決するために、本考案は、下記のカプセル保持具を提供する。
【００１４】
（１）ピンセットと、該ピンセットの各挟持端に対し着脱自在の挟持片とよりなり、
各挟持片は弾性を有する柔軟な材料により形成された樋状の挟持部を備えていることを特徴とするカプセル保持具（請求項１）。
【００１５】
（２）前記各挟持片における挟持部は、上端がピンセットの基部から離れる方向に、傾斜している（請求項２）。
【００１６】
（３）前記各挟持片における挟持部は、下端にカプセルの端部に当接する当接部を備えている（請求項３）。
［考案の作用］
【００１７】
［請求項１の考案］
カプセル保持具を使用する際には、各挟持片をピンセットの各挟持端に取り付け、当該一対の挟持片における挟持部間にカプセルの略円筒状本体を挟持した状態で該略円筒状本体内に充填物を充填し、別のカプセル保持具により保持したカプセルのキャップを該略円筒状本体の上端開口部に嵌着する。
【００１８】
［請求項２の考案］
一対の挟持片における挟持部間にカプセルの略円筒状本体を挟持したときには、該略円筒状本体は上端がピンセットの基部から離れる方向、即ち、該略円筒状本体の上端が使用者の手から離れる方向、に傾斜する。
【００１９】
［請求項３の考案］
一対の挟持片における挟持部間にカプセルの略円筒状本体を挟持したときには、各挟持部の当接部はカプセルの端部、即ち該略円筒状本体の底部、に当接する。また、一対の挟持片における挟持部間にカプセルのキャップを挟持したときには、各挟持部の当接部はカプセルの端部、即ち、キャップの上端、に当接する。
【考案の効果】
【００２０】
［請求項１の考案］
請求項１の考案は、下記の如き優れた効果を発揮する。
【００２１】
カプセル保持具によりカプセルを保持した状態で、該カプセルに充填物を充填することができるため、充填作業を極めて衛生的、かつ、容易に行なうことができる。
【００２２】
各挟持片における挟持部は弾性を有する柔軟な材料により樋状に形成されているため、該挟持部は種々の異なる直径を有するカプセルに対しても好ましく密着して該カプセルを確実に保持することができる。
【００２３】
各挟持片はピンセットとは別体のものであり、該挟持片を取り付けるピンセットは一般に市販されているものでよい。従って、カプセル保持具は極めて安価に提供することができる。
【００２４】
［請求項２の考案］
一対の挟持片における挟持部間にカプセルの略円筒状本体を挟持したときには、該略円筒状本体は上端がピンセットの基部から離れる方向、即ち、該略円筒状本体の上端が使用者の手から離れる方向、に傾斜するため、該略円筒状本体に対する充填物の充填作業及びキャップの嵌着作業は更に容易なものとなる。
【００２５】
［請求項３の考案］
一対の挟持片における挟持部間にカプセルの略円筒状本体を挟持したときには、各挟持部の当接部はカプセルの端部、即ち該略円筒状本体の底部、に当接するため、該略円筒状本体は挟持部間により確実に保持される。また、一対の挟持片における挟持部間にカプセルのキャップを挟持したときには、各挟持部の当接部はカプセルの端部、即ち、キャップの上端、に当接するため、該キャップは挟持部間により確実に保持される。
【考案を実施するための最良の形態】
【００２６】
本考案によるカプセル保持具は、ピンセット１と、該ピンセット１の各挟持端３、３に対し着脱自在の一対の挟持片５、５とよりなる。即ち、挟持片５、５は、ピンセット１とは別体のものである。
【００２７】
各挟持片５をピンセット１の各挟持端３に対し着脱自在となすために、一例として図５に示すように、各挟持片５に挿入孔７を形成し、該挿入孔７内にピンセット１の各挟持端３を引き抜き自在に挿入する。
【００２８】
図１、図２に示す事例においては、各挟持片５、５を連結紐９により相互に連結している。
【００２９】
各挟持片５は弾性を有する柔軟な材料により形成された樋状の挟持部１１を備えている。即ち、各挟持部１１は、略円弧状の断面を有するものであり、一例として円筒体を長さ方向に半割りしてなるものとする。
【００３０】
各挟持部１１を形成する弾性を有する柔軟な材料は、一例として、シリコーンゴムとする。
【００３１】
各挟持片５における挟持部１１は、好ましくは、上端１１ａがピンセット１の基部１３から離れる方向（図３における右方）に、傾斜している。
【００３２】
挟持部１１の傾斜角度α（図３参照）は、好ましくは、１０８±５度とする。
【００３３】
各挟持片５における挟持部１１は、好ましくは、下端にカプセル１５の端部１５’に当接する当接部１７を備えている。図４、図５参照。
【００３４】
カプセル１５の端部１５’は、カプセル１５の略円筒状本体１５ａにあってはその底部であり、カプセル１５のキャップ１５ｂにあってはその上端である。
【００３５】
なお、図３における符号１９に示すものは、カプセル１５に充填される充填物である。
【図面の簡単な説明】
【００３６】
【図１】本考案によるカプセル保持具の一例を示す斜視図である。
【図２】同上カプセル保持具の平面図である。
【図３】同上カプセル保持具の別の一例を示す正面図である。
【図４】同上カプセル保持具の更に別の一例を示す断面図である。
【図５】同上カプセル保持具の別の断面図である。
【符号の説明】
【００３７】
１  ピンセット
３  挟持端
５  挟持片
７  挿入孔
９  連結紐
１１  挟持部
１１ａ  上端
１３  基部
１５  カプセル
１５’  端部
１５ａ  略円筒状本体
１５ｂ  キャップ
１７  当接部
１９  充填物
【図１】
0003113810.tif 000003
【図２】
0003113810.tif 000004
【図３】
0003113810.tif 000005
【図４】
0003113810.tif 000006
【図５】
0003113810.tif 000007